(57)【要約】【課題】例えばゲームセンターや遊技場などに設置して遊技者の操作で景品を取得する景品取得ゲーム機、特にいわゆるクレーンゲーム機などの景品取得ゲーム機に係り、景品の種類や大きさ等に拘わらず、ほぼ一定の条件で把持アームにより把持できるようにする。【解決手段】景品を収容配置した景品収容室１ｂ内に、開閉可能な複数本の把持アーム３ｂを有する景品把持手段３を移動可能に設け、その景品把持手段３を遊技者が景品収容室１ｂの外から遠隔的に移動操作して景品収容室１ｂ内の景品を取得する景品取得ゲーム機において、上記景品を不倒だるま形の景品収納容器２内に収納すると共に、その景品収納容器２の起立状態における上部外面に上記把持アーム３ｂが係合する突リブ２４を設けたことを特徴とする。【選択図】        図１
2007000337.tif 000002
【特許請求の範囲】
【請求項１】
景品を収容配置した景品収容室内に、開閉可能な複数本の把持アームを有する景品把持手段を移動可能に設け、その景品把持手段を遊技者が景品収容室の外から遠隔的に移動操作して景品収容室内の景品を取得する景品取得ゲーム機において、
上記景品を不倒だるま形の景品収納容器内に収納すると共に、その景品収納容器の起立状態における上部外面に上記把持アームが係合する突リブを設けたことを特徴とする景品取得ゲーム機。
【請求項２】
前記不倒だるま形の景品収納容器は、該容器内の底部に重錘を設けることによって常時起立傾向に付勢されてなる請求項１に記載の景品取得ゲーム機。
【請求項３】
前記複数本の把持アーム間に景品を磁力で吸着保持する磁力保持体を設けると共に、その磁力保持体によって景品を保持するための磁性体を前記景品収納容器の起立状態における上部に設けた請求項２に記載の景品取得ゲーム機。
【発明の詳細な説明】
【技術分野】
【０００１】
本発明は、例えばゲームセンターや遊技場などに設置して遊技者の操作で景品を取得する景品取得ゲーム機、特にいわゆるクレーンゲーム機などの景品取得ゲーム機に関する。
【背景技術】
【０００２】
従来、上記のような景品取得ゲーム機は、下記特許文献１，２にも記載のように、一般に景品を収容した筐体等の景品収容室内に、開閉可能な複数本の把持アームを有する景品把持手段を前後左右および上下方向に移動可能に設け、その景品把持手段を遊技者が景品収容室の外から操作して景品収容室内の景品を把持したのち景品排出口から外部に排出させて景品を取得するものである。
【０００３】
ところが、上記のような把持アームを用いたゲーム機においては、縫いぐるみ等の景品を把持アームで直接把持するのが一般的であり、景品の大きさや種類によって景品の取得率が大きく変化する。そのため、景品の大きさや種類に応じて把持アームの大きさや把持力等を設定しなければならない。また１台のゲーム機で大きさの異なる複数種類の景品を扱うことができない等の不具合があった。
【０００４】
また、従来は上記のような景品収容室内に景品を乱雑に重ねて収容するのが一般的であるから、隣り合う景品間に把持アームが進入し得るような隙間が生じることが少ない。そのため、見るからに把持アームによって吊り上げるのが難しく、遊技者の挑戦意欲がそがれる等の問題があった。
【０００５】
【特許文献１】特開２００５−３４２４９号公報
【特許文献２】特開２００４−７３４８６号公報
【発明の開示】
【発明が解決しようとする課題】
【０００６】
本発明は上記の問題点に鑑みて提案したもので、景品の種類や大きさ等に拘わらず、ほぼ一定の条件で把持アームにより把持することのできる景品取得ゲーム機を提供することを目的とする。
【課題を解決するための手段】
【０００７】
上記の目的を達成するために本発明による景品取得ゲーム機は以下の構成としたものである。すなわち、景品を収容配置した景品収容室内に、開閉可能な複数本の把持アームを有する景品把持手段を移動可能に設け、その景品把持手段を遊技者が景品収容室の外から遠隔的に移動操作して景品収容室内の景品を取得する景品取得ゲーム機において、上記景品を不倒だるま形の景品収納容器内に収納すると共に、その景品収納容器の起立状態における上部外面に上記把持アームが係合する突リブと、上記磁力発生部に吸着可能な磁性体とを備えたことを特徴とする。
【０００８】
なお上記不倒だるま形の景品収納容器としては、該容器内の底部に重錘を設けることによって常時起立傾向に付勢されてなるものを用いることができる。また必要に応じて上記複数本の把持アーム間には、景品を磁力で吸着保持する磁力保持体を設けると共に、その磁力保持体によって景品を保持するための磁性体を上記景品収納容器の起立状態における上端部付近に設けるようにしてもよい。
【発明の効果】
【０００９】
上記のように本発明による景品取得ゲーム機は、景品を不倒だるま形の景品収納容器内に収納すると共に、その景品収納容器の起立状態における上部外面に上記把持アームが係合する突リブを設けたので、景品の種類や大きさ等に拘わらず、景品収納容器内に収納した状態で、ほぼ一定の条件でゲームを遂行することが可能となる。特に、不倒だるま形の景品収納容器として、該容器内の底部に重錘を設けることによって常時起立傾向に付勢されてなる、いわゆる起き上がりこぼし式の不倒容器を用いると、各容器に設けた突リブが常時容器の上部に位置するので、希望の景品が挑戦しやすい状態にある確率が増大し、挑戦の機会や挑戦意欲を高めることができる。
【００１０】
また、複数本の把持アーム間に、景品を磁力で吸着保持する磁力保持体を設けると共に、その磁力保持体によって景品を保持するための磁性体を上記景品収納容器の起立状態における上端部付近に設ければ、その磁力保持体のみ或いは前記把持アームとの協働で景品を取得することも可能となり、ゲームの面白みや興味をますことができる。また磁性体を不倒だるま形の景品収納容器の起立状態における上端部付近に設けたので、磁性体が景品の下側に隠れてしまったり、他の景品で覆われてしまうおそれを解消することができ、それによっても希望の景品が挑戦しやすい状態にある確率が増大し、挑戦の機会や挑戦意欲を高めることができる。
【発明を実施するための最良の形態】
【００１１】
以下、本発明による景品取得ゲーム機を、図に示す実施形態に基づいて具体的に説明する。図１は本発明による景品取得ゲーム機の正面図、図２（ａ）は景品収納カプセルの半部の平面図、同図（ｂ）はその一部縦断正面図である。
【００１２】
図において、１はゲーム機本体で、その本体１は下部の基台１ａ上に景品収納室１ｂを設けた構成であり、その景品収納室１ｂの前面および左右両側面の大部分を透明の合成樹脂板やガラス板等の透明板で形成することによって、該ゲーム機を操作する遊技者が景品収納室１ｂ内を外から見通せるように構成されている。
【００１３】
その景品収容室１ｂ内の底部には、縫いぐるみ等の景品（不図示）が不倒だるま形の景品収納容器２内に収納された状態で多数配置され、それらの上方に上記景品収納容器２を把持する景品把持手段３が設けられている。その景品把持手段３は、本実施形態においては左右一対設けられ、その各景品把持手段３は基部３ａを中心に開閉可能に設けた複数本（図の場合は一対）の把持アーム３ｂを図に省略した駆動機構で開閉することによって上記景品収納容器２を把持する構成である。また上記基部３ａの下面には、電磁石等よりなる磁力保持体４が設けられている。
【００１４】
上記各景品把持手段３は、上下方向に伸縮可能な昇降ロッド５を介して、その上部に配置された公知の移動機構（不図示）に上下動可能に吊り下げ支持されると共に、その移動機構によって図１において前後および左右方向に移動可能に構成されている。図中、６は前記基台１ａの前上部に突出させて設けた操作テーブルで、そのテーブル６上にはコイン投入口７や上記移動機構の操作ボタン８等が設けられている。９はコインメック、１０はコイン返却口、１１は景品収容室３内に開口する景品排出口、１２はその景品排出口１０に連通する景品取出口である。
【００１５】
一方、前記の不倒だるま形の景品収納容器２は、本実施形態においては合成樹脂等により図２に示すように上下２分割２ａ，２ｂに構成され、その両分割体２ａ，２ｂの開口部を互いに印籠嵌合することによって、上記容器２内にぬいぐるみ等の景品を密閉収納する構成である。なお上記景品収納容器２の材質は、少なくとも容器２内に収納した景品が何であるかが外から分かるように透明の合成樹脂等を用いるのが好ましいが、必ずしも容器全体が透明である必要はない。本実施形態においては上側の分割体２ａが無色透明で、下側の分割体２ｂは不透明の合成樹脂で形成されている。
【００１６】
また景品収納容器２は、略だるま形の容器内の底部に重錘２０を設けることによって、いわゆる起き上がりこぼし（小法師）のように常時起立傾向（不倒傾向）となるようにしたもので、図の場合は下側の分割体２ｂ内の底部に支持部材２１・２１を介して重錘２０を取付けた構成である。上記各支持部材２１は容器２の下側の分割体２ｂに一体に設けられ、その両支持部材２１・２１の上端部に重錘２０を覆うようにして底板２２が溶着等で取付けられている。図中、２３は重錘２０の中央部を支持する支持片である。
【００１７】
さらに景品収納容器２の起立状態における上部には、前記把持アーム３ｂで把持する際に該把持アーム３ｂの先端部が係合する突リブ２４が上記景品収納容器２の周方向に不連続に設けられている。特に図の場合は、だるま形の景品収納容器２の上部の直径方向２箇所に断面略Ｌ字形の突リブ２４を設けたもので、その各Ｌ字形の突リブ２４の縦片２４ａは景品収納容器２の外周面に溶着等で一体的に固着され、横片２４ｂは景品収納容器２の外方に向かってほぼ水平に且つ平面略扇状に形成されている。また上記景品収納容器２の上面には、前記の磁力保持体４で吸着（磁着）される板状の磁性体２５が溶着等で一体的に設けられている。
【００１８】
上記のようにして縫いくるみ等の景品を収納した不倒だるま形の景品収納容器２は、前記図１に示す景品収容室３内に多数投入して底部にランダムに配置するもので、その際、景品収容室３内に投入されて例えば図３の鎖線示のように傾斜した状態もしくは横倒しの状態となった景品収納容器２は、該容器２内の底部に設けた重錘によって同図実線示の状態に自動的に起立する。その状態で、不倒だるま形の景品収納容器２の上部の互いに径方向反対側の側面には突リブが位置し、景品収納容器２の上面には磁性体５が位置した状態となる。
【００１９】
その状態で、遊技者が操作テーブル６上の左右いずれかのコイン投入口７から所定のコインを投入し、所定の操作手順に従って対応する操作ボタン８等を操作すると、前記移動機構によって景品把持手段３が前後および左右方向に移動する。そして景品把持手段３が意図した景品収納容器２のほぼ上方位置まで移動したところで、遊技者が操作ボタン８を離すと、その位置で景品把持手段３が停止した後、昇降ロッド５が自動的に伸長して景品把持手段３が下降移動する。そのとき、把持アーム３ｂは図１で左側の景品把持手段３のように開いた状態で上記景品把持手段３とともに下降移動する。
【００２０】
そして、景品把持手段３の把持アーム３ｂ等が、景品を収納した景品収納容器２または景品収容室３の底面等に接触すると、それを図に省略した検知手段が検知して前記昇降ロッド５による景品把持手段３の下降移動が自動的に停止する。次いで、開いた状態にある把持アーム３ｂ・３ｂの閉じ動作が開始されると同時に、景品把持手段３が徐々に上昇しながら景品排出口１１に向かって移動するもので、そのとき、図４（ａ）のように把持アーム３ｂ・３ｂの先端部に景品収納容器２の上部の突リブ２４が首尾よく引っ掛かるか、或いは同図（ｂ）のように磁力保持体４に磁性体２５が吸着保持されれば、景品収納容器２を景品排出口１１の上方に導くことができる。また同図（ｂ）の状態から何らかの理由で磁力保持体４から磁性体２５が離脱して落下しても同図鎖線示のように把持アーム３ｂ・３ｂの先端部に突リブ２４が引っ掛かれば、景品収納容器２を景品排出口１１の上方に導くことができる。
【００２１】
上記のようにして景品収納容器２が景品排出口１１の上方に導かれると、景品把持体３の把持アーム３ｂ・３ｂが開くと共に、磁力保持体４への通電が断たれるか或いは逆電圧が印加されて磁力保持体４と磁性体２５とが分離され、景品を収納した容器２が景品排出口１１内に落下する。そこで遊技者は景品取出口１２に手を挿入すれば上記景品収納容器２を取出すことができ、その景品収納容器２の分割体２ａ・２ｂを分離すれば容器内の景品を手にすることができるものである。
【００２２】
なお上記実施形態は、景品把持手段３としての複数本の把持アーム３ｂ・３ｂの他に、それらの把持アーム３ｂ・３ｂ間に磁力保持体４と、それに吸着する磁性体２５を景品収納容器２に設けたが、その磁力保持体４と磁性体２５とは必要に応じて設ければよく、場合によっては省略することもできる。
【００２３】
以上のように本発明による景品取得ゲーム機は、景品を不倒だるま形の景品収納容器２内に収納すると共に、その景品収納容器２の起立状態における上部外面に把持アーム３ｂが係合する突リブ２４を設けたから、上記景品収納容器２内に収納し得るものであれば、景品の大きさや重さの如何に拘わらずほぼ同一の条件で把持アームによる景品取得ゲームの遂行が可能となり、景品の種類の拡大およびゲームの汎用性を高めることができる。また景品を収納する容器として不倒だるま形の景品収納容器、特に上記実施形態においては該容器２内の底部に重錘を設けることによって常時起立傾向に付勢されてなる容器を用いたので、殆ど大部分の容器が起立状態にあって、その上部に設けた突リブ２４に把持アーム３ｂを係合させればよいので、挑戦がしやすい。
【００２４】
また上記実施形態のように複数本の把持アーム３ｂ・３ｂ間に、景品を磁力で吸着保持する磁力保持体４を設けると共に、その磁力保持体４によって景品を保持するための磁性体２５を上記景品収納容器２の起立状態における上端部付近に設ければ、その磁力保持体のみ或いは前記把持アーム３ｂとの協働で景品を取得することも可能となり、ゲームの面白みや興味をますことができる。また磁性体２５を不倒だるま形の景品収納容器２の起立状態における上端部付近に設けたので、磁性体が景品の下側に隠れてしまったり、他の景品で覆われてしまうおそれが少なく、希望の景品が挑戦しやすい状態にある確率が増し、遊技者の挑戦の機会や挑戦意欲を高めることができる。
【００２５】
なお上記磁力保持体４は、それを構成する電磁石への通電量や電圧等を調整することによって、磁力を適時変更したり、定期的もしくはランダムに変化させるようにしてもよい。そのようにすると、磁力保持体４による景品収納容器の保持力を適時変更したり、その保持力が定期的もしくはランダムに変化することで、スリルやゲーム性を更に高めることが可能となる。
【産業上の利用可能性】
【００２６】
以上のように本発明による景品取得ゲーム機は、所定の景品収納容器内に収納しうるものであれば、景品の種類や大きさ等に拘わらず、ほぼ一定の条件でゲームを遂行することができるので、適用できる景品の種類や同時に扱う景品の種類を増やすことが可能となり、ゲーム機の汎用性や利用可能性を大幅に増大させることができる。
【図面の簡単な説明】
【００２７】
【図１】本発明による景品取得ゲーム機の一実施形態を示す正面図。
【図２】（ａ）は景品収納容器の半部の平面図、（ｂ）はその縦断正面図。
【図３】上記景品収納容器の起き上がり状態を示す説明図。
【図４】（ａ）は景品把持手段の把持アームで景品収納容器を把持している状態の正面図、（ｂ）は主として磁力保持体で景品収納容器を保持している状態の正面図。
【符号の説明】
【００２８】
１  ゲーム機本体
１ａ  基台
１ｂ  景品収納室
２  景品収納容器
２ａ、２ｂ  分割体
２０  重錘
２１  支持部材
２２  底板
２３  支持片
２４  突リブ
２５  磁性体
３  景品把持手段
４  磁力保持体
５  昇降ロッド
６  操作テーブル
７  コイン投入口
８  操作ボタン
９  コインメック
１０  コイン返却口
１１  景品排出口
１２  景品取出口
【図１】
2007000337.tif 000003
【図２】
2007000337.tif 000004
【図３】
2007000337.tif 000005
【図４】
2007000337.tif 000006